(57)【要約】      （修正有）【課題】ブラシとして使用した場合に、優れた感触が得られるとともに、高い清掃性と耐久性を兼ね備えたブラシ用毛材およびこの毛材を用いたブラシを提供する。【解決手段】芯部の繊維軸と垂直方向の断面形状が、外周長Ｔと外接円の円周長Ｌとの比Ｔ／Ｌの値が１．２０〜２．５０の範囲の異形断面である芯鞘複合モノフィラメントからなり、その少なくとも片方の先端部において、芯部４が鞘部５に覆われずに露出していることを特徴とするブラシ用毛材。【選択図】 図２
2006136524.tif 000002
【特許請求の範囲】
【請求項１】
芯部の繊維軸と垂直方向の断面形状が、外周長Ｔと外接円の円周長Ｌとの比Ｔ／Ｌの値が１．２０〜２．５０の範囲の異形断面である芯鞘複合モノフィラメントからなり、その少なくとも片方の先端部において、芯部が鞘部に覆われずに露出していることを特徴とするブラシ用毛材。
【請求項２】
前記芯鞘複合モノフィラメントの芯部を構成する成分がポリアミド系樹脂であり、かつ鞘部を構成する成分がポリエステル系樹脂であることを特徴とする請求項１に記載のブラシ用毛材。
【請求項３】
前記露出した芯部の長さが０．５〜６ｍｍの範囲にあることを特徴とする請求項１または２に記載のブラシ用毛材。
【請求項４】
前記芯鞘複合モノフィラメントの直径が０．０７〜０．３０ｍｍの範囲であり、かつ繊維軸と垂直方向の断面における芯部／鞘部の断面積比が２０／８０〜８０／２０の範囲にあることを特徴とする請求項１〜３のいずれか１項に記載のブラシ用毛材。
【請求項５】
請求項１〜４のいずれか１項に記載のブラシ用毛材を毛材の少なくとも一部に使用したことを特徴とするブラシ。  
【発明の詳細な説明】
【技術分野】
【０００１】
本発明は、ブラシとして使用した場合に、優れた感触が得られるとともに、高い清掃性と耐久性とを兼ね備えたブラシ用毛材およびこの毛材を用いたブラシに関するものである。
【背景技術】
【０００２】
歯ブラシ、化粧ブラシ、ボディブラシなどに使用するブラシ用毛材としては、従来から合成樹脂製モノフィラメントからなる毛材が広く使用されている。特に、ポリアミド系樹脂は、適度な硬さと回復性を有しており、中でも特にナイロン６１０やナイロン６１２は、吸湿しにくいために弾性変化も小さいという特性を活かして、ブラシ毛材としてよく使用されている。
【０００３】
また、ポリエステル系樹脂も、吸湿による弾性変化がなく、耐久性にも優れることからブラシ用毛材に使用されており、特にポリブチレンテレフタレートは、柔軟性に優れるという特性を活かして、歯ブラシ用毛材としてよく使用されている。
【０００４】
さらに、近年では、清掃性の向上などを目的として、様々な加工を施されたブラシ用毛材が使用されており、例えば、ポリエステル系樹脂からなるブラシ用毛材の先端部を、アルカリ液などを使用して溶解し、先鋭状に加工することにより、狭い隙間部分をも清掃できるようにしたブラシ用毛材や、芯鞘複合構造の毛材の先端部において芯部のみ露出させたブラシ用毛材などがその例である。            
【０００５】
中でも芯鞘複合構造のブラシ用毛材は、芯部と鞘部に互いに異なる合成樹脂を使用することにより、清掃性のほか、柔軟性などの特性を付与できることから、特に注目されている。
【０００６】
例えば、異なる樹脂を使用した２層以上の多重芯構造フィラメントからなり、その毛材の先端部分をテーパー状に加工するとともに、テーパー部に段差部を形成した歯ブラシ用毛材（例えば、特許文献１参照）が知られている。しかしながら、この歯ブラシ用毛材を使用した歯ブラシは、テーパー状の毛先が歯の狭い隙間部分に入りやすく、ソフトな触感が得られるなどの効果が得られるものの、毛先が柔らかすぎるために汚れを掻き出す力が弱く、さらに使用を繰り返すうちに芯部と鞘部が剥離し易くなることから、清掃性と耐久性に欠けるという問題があった。
【特許文献１】特開２００３−１６９７１８号公報
【発明の開示】
【発明が解決しようとする課題】
【０００７】
本発明は、上記の従来技術における問題点の解決を課題として検討した結果達成されたものである。
【０００８】
すなわち、本発明の目的は、ブラシとして使用した場合に、優れた感触が得られるとともに、高い清掃性と耐久性を兼ね備えたブラシ用毛材およびこの毛材を用いたブラシを提供することにある。
【課題を解決するための手段】
【０００９】
上記目的を達成するために、本発明によれば、芯部の繊維軸と垂直方向の断面形状が、外周長Ｔと外接円の円周長Ｌとの比Ｔ／Ｌの値が１．２０〜２．５０の範囲の異形断面である芯鞘複合モノフィラメントからなり、その少なくとも片方の先端部において、芯部が鞘部に覆われずに露出していることを特徴とするブラシ用毛材が提供される。
【００１０】
なお、本発明のブラシ用毛材においては、
前記芯鞘複合モノフィラメントの芯部を構成する成分がポリアミド系樹脂であり、かつ鞘部を構成する成分がポリエステル系樹脂であること、
前記露出した芯部の長さが０．５〜６ｍｍの範囲にあること、および
前記芯鞘複合モノフィラメントの直径が０．０７〜０．３０ｍｍの範囲であり、かつ繊維軸と垂直方向の断面における芯部／鞘部の断面積比が２０／８０〜８０／２０の範囲にあること
が、いずれも好ましい条件であり、これらの条件を満たすことによりさらに好ましい効果を取得することができる。
【００１１】
また、本発明のブラシは、前記ブラシ用毛材を毛材の少なくとも一部に使用したことを特徴とする。
【発明の効果】
【００１２】
本発明によれば、以下に説明するとおり、ブラシとして使用した場合に、優れた感触が得られるとともに、狭い隙間に毛先が入りやすく、汚れを掻き出しやすいなどの清掃性に優れ、芯部と鞘部との剥離に強く、毛材が広がりにくいなどの耐久性に優れたブラシ用毛材が得られる。
【００１３】
そして、本発明のブラシ用毛材を毛材の少なくとも一部に使用したブラシ、例えば歯ブラシ、化粧ブラシおよびボディブラシなどは、上記の特性を十分に発揮するものである。
【発明を実施するための最良の形態】
【００１４】
以下に本発明のブラシ用毛材について図面にしたがって詳細に説明する。
【００１５】
図１は本発明のブラシ用毛材の一例を示した拡大側面図である。図１の１はブラシ用毛材、２は先端部、３は本体部、Ｈは先端部２の長さ、Ｄはブラシ用毛材１の直径をそれぞれ示している。そして、ブラシ用毛材１は芯鞘複合モノフィラメントからなり、先端部２は芯鞘複合モノフィラメントの芯部が鞘部に覆われずに露出した部分から構成されている。
【００１６】
図２の（ａ）〜（ｃ）は、本発明の条件を満たすブラシ用毛材１を、図１のＩ−Ｉにおいて切断した場合の断面を表した断面図であり、図２の４は芯部、５は鞘部、実線Ｔは芯部４の断面形状の外周長、波線Ｌは芯部４の断面形状に外接する円の円周長をそれぞれ示している。
【００１７】
図３の（ｄ）〜（ｆ）は、本発明の条件を満たさないブラシ用毛材１を、図２の（ａ）〜（ｃ）と同じように見た場合の断面を表した断面図であり、同じく４は芯部、５は鞘部、実線Ｔは芯部４の断面形状の外周長、波線Ｌは芯部４の断面形状に外接する円の円周長をそれぞれ示している。
【００１８】
本発明のブラシ用毛材をブラシとして使用した場合に、優れた感触が得られるとともに、高い清掃性と耐久性を兼ね備えた毛材を得るためには、図１に示すように、ブラシ用毛材１が芯鞘複合モノフィラメントからなり、このブラシ用毛材の少なくとも片方の先端部２が、鞘部５に覆われずに露出している芯部４から構成されるとともに、図２の（ａ）〜（ｃ）に示すように、芯部４の繊維軸と垂直方向の断面形状が、外周長Ｔと外接円の円周長Ｌとの比Ｔ／Ｌの値が１．２０〜２．５０の範囲の異形断面であることが必要であり、さらには、Ｔ／Ｌの値が１．３０〜２．３０の範囲となる異形断面であることが好ましい。
【００１９】
毛材の少なくとも片方にある先端部２において、芯部４が鞘部５に覆われておらず露出していない場合は、ブラシとして使用した場合に、狭い隙間に先端部２が入り込みにくくなり、十分な清掃性が得られなくなるばかりか、優れた感触が得られにくくなるため好ましくない。
【００２０】
また、繊維軸と垂直方向の芯部４の断面形状は、丸形以外の異形断面であれば特に限定はされないが、Ｔ／Ｌの値が上記の範囲を下回る場合（例えば、図３の（ｄ）や（ｅ））は、清掃性の欠ける毛材となりやすくなるばかりか、芯部４と鞘部５との接着が弱く剥離しやすくなる傾向となるため好ましくない。逆に、Ｔ／Ｌの値が上記の範囲を上回る場合（例えば、図３の（ｆ））は、ブラシとして使用した場合に、芯部４と鞘部５との剥離こそ強いものの、芯部４の繊度が小さくなるために先端部２が折れ曲がりやすくなり、使用を繰り返していくうちに毛材が広がりやすくなるばかりか、アルカリ液などを使用して鞘部５を溶解する際に、芯部４の凹部分に鞘部５を構成する合成樹脂が溶解せずに残りやすい傾向となり、その結果芯部４が露出しにくくなるため好ましくない。
【００２１】
したがって、上記のように構成することにより、芯部４がその断面に適度な凹凸部を有し、ブラシ用毛材１の先端に露出した先端部２の側面にも適度な凹凸状態が保持されるため、ブラシとして使用した場合には、高い清掃性が得られるばかりか、芯部４と鞘部５との接触面積が拡大するため、剥離耐久性に強いブラシ用毛材が得られるのである。
【００２２】
次に、本発明のブラシ用毛材１の芯部４と鞘部５を構成する成分については特に限定されず、芯鞘複合紡糸が可能な熱可塑性の合成樹脂から任意に選択することができるが、芯部４の構成成分としては、適度な硬さと回復性を有するナイロン６、ナイロン６６、ナイロン６１０、ナイロン６１２、ナイロン１１、ナイロン１２、およびこれら共重合などのポリアミド系樹脂を好ましく使用することができ、中でも吸湿しにくいために弾性変化も小さいナイロン６１０やナイロン６１２を好ましく使用することが出きる。
【００２３】
一方、鞘部５の構成成分としては、吸湿による弾性変化がなく耐久性にも優れ、アルカリ液などに容易に溶解するポリエステル系樹脂を好ましく使用することができ、中でもブラシとしての柔軟性に優れるポリブチレンテレフタレートを好ましく使用することができる。
【００２４】
なお、芯部４および鞘部５を構成する合成樹脂には、本発明が意図する効果を阻害しない限り、耐熱剤、耐候剤、耐光剤、酸化防止剤、帯電防止剤、抗菌剤、着色剤および可塑剤などの添加剤を任意に含有せしめることもできる。
【００２５】
さらに、本発明のブラシ用毛材１においては、先端部２の長さＨが０．５〜６ｍｍ、好ましくは１〜５ｍｍの範囲にあることが好ましい。Ｈの値が上記範囲を下回る場合は、ブラシとして使用した際に、毛材先端部２が隙間に十分入り込めず、清掃性が低下しやすくなるばかりか、毛材先端部２の毛腰が高くなるため、優れた感触が得られにくくなるため好ましくない。逆に、Ｈの値が上記の範囲を上回る場合は、ブラシとして使用した際に、良好な感触は得られるものの、先端部２が折れ曲がりやすくなり、清掃性の低下の原因を招くことになるため好ましくない。
【００２６】
さらにまた、ブラシ用毛材１の本体部３の直径Ｄは、使用するブラシ用途によって適宣選択され、特に限定されないが、ブラシとして使用した場合の感触と清掃性のバランスから、０．０７〜０．３０ｍｍ、さらには、０．１０〜０．２５ｍｍの範囲にすることが好ましい。なお、ブラシ用毛材１の本体部３の繊維軸と垂直方向の断面形状については、上述のとおり、芯部４の断面形状が丸形以外の形状で、かつＴ／Ｌの値が上記の範囲内であればいかなる形状であってもよく、例えば、丸形、楕円形、多葉形、多角形、連円形などから、使用するブラシ用途に応じて適宜選択することができる。
【００２７】
上記の条件のほか、本発明のブラシ用毛材１の繊維軸と垂直方向の断面における芯部４と鞘部５の断面積比は、２０／８０〜８０／２０、好ましくは３０／７０〜７０／３０の範囲にあることが望ましい。芯部の断面積比が上記の範囲を下回る場合は、ブラシとして使用した際に、優れた感触が得られるものの、芯部４の繊度が小さくなるために、毛材先端部２の折れ曲がりやブラシ用毛材１の広がりのほか、汚れを掻き出す力も低下しやすくなり、さらにはブラシ用毛材１の束がまとまりにくくなるため好ましくない。逆に、芯部の断面積比が上記の範囲を上回る場合は、ブラシとして使用した際に、狭い隙間に毛材先端部２が入り込めず、清掃性が得られにくくなるばかりか、優れた感触も得られにくくなる傾向となるため好ましくない。
【００２８】
次に、本発明のブラシ用毛材１の製造方法について説明する。
【００２９】
本発明のブラシ用毛材１は、例えば、芯鞘複合モノフィラメントを溶融紡糸して得た後、芯鞘複合モノフィラメントをブラシ用途に応じた長さにカットし、カットした芯鞘複合モノフィラメントの少なくとも片方の先端部において、酸やアルカリなどによる溶解法や研磨処理法により、芯部４を露出せしめることによって得ることができる。
【００３０】
具体的に、芯部４がポリアミド系樹脂、鞘部５がポリエステル系樹脂からなるブラシ用毛材１の製造方法を例に挙げるならば、まず、公知の芯鞘複合型溶融紡糸機の芯部４形成側にポリアミド樹脂、鞘部５形成側にポリエステル樹脂を供給し、紡糸機内で溶融混練した後、芯鞘複合口金孔から溶融状態の合成樹脂を共押し出し、冷却浴に導いて冷却固化する。次に、冷却固化した芯鞘複合モノフィラメンの未延伸糸を所望の倍率で加熱延伸し、さらに必要に応じて熱セットし、一旦束状に巻き取る。
【００３１】
そして、巻き取られた芯鞘複合モノフィラメンをブラシ用途に応じた長さにカットし、カットした芯鞘複合モノフィラメントの少なくとも片方の先端部を水酸化ナトリウム水溶液などのアルカリ液に浸漬し、鞘部５を溶解して芯部４を露出させる。なお、アルカリ液に浸漬させる際には、アルカリ液濃度、アルカリ液温度、浸漬深さおよび浸漬時間などを適宣調整することにより、芯部４の露出長さＨを変えることができる。また、上述のとおり、芯部４の露出方法としては、研磨処理による方法も挙げられるが、芯部４の形状を崩すことなく、本発明が意図するブラシ用毛材１の形状を得るためには、酸またはアルカリなどによる溶解法が好ましい。
【００３２】
本発明のブラシは、上記のブラシ用毛材を毛材の少なくとも一部に使用したものであるが、その製造方法は従来公知の方法を適用することができ、例えば本発明のブラシ用毛材の複数本または本発明のブラシ用毛材と他のブラシ用毛材とを合わせた複数本を束ね、これを基台の植毛孔に、露出した芯部４からなる先端部３が毛先側となるようにして植毛することにより、製造することができる。
【００３３】
そして、本発明のブラシは、歯ブラシ、化粧ブラシおよびボディブラシ以外にも、クリーニングブラシ、ペイントブラシ、各種洗浄ブラシ用途などの各種ブラシ分野へ幅広く応用することができる。
【００３４】
かくしてなる本発明のブラシ用毛材１は、ブラシとして使用した場合に、優れた感触が得られるとともに、狭い隙間に毛先が入りやすく、汚れを掻き出しやすいなどの清掃性に優れ、芯部４と鞘部５との剥離に強く、ブラシ用毛材１が広がりにくいなどの耐久性に優れたものである。
【００３５】
そして、本発明のブラシ用毛材を毛材の少なくとも一部に使用したブラシ、例えば歯ブラシ、化粧ブラシおよびボディブラシなどは、上記の特性を十分に発揮するものである。
【実施例】
【００３６】
以下に実施例を挙げて本発明をさらに詳しく説明するが、実施例における毛材の評価は次の方法により行った。
【００３７】
なお、以下に記載する評価用の歯ブラシは、実施例および比較例で得られたブラシ用毛材を、植毛域９ｍｍ×２２ｍｍに３４箇所の植毛孔を有する歯ブラシ用基台に、２０本／孔、かつ毛丈１０ｍｍとなるように植毛したものである。
【００３８】
［芯部の外周長Ｔ、外接円周長Ｌ、およびＴ／Ｌ］
得られた芯鞘複合モノフィラメント試料をミクロトームで輪切りにし、その切片の断面を（株）ＫＥＹＥＮＣＥ社製デジタルＨＤマイクロスコープＶＨ−７０００を使用して芯部の外周長Ｔと外接円周長Ｌを測定した。そして、測定したそれぞれの値からＴ／Ｌの値を計算して求めた。
【００３９】
［清掃性］
１０ｍｍ立方のアクリル板の上表面に幅１ｍｍ、高さ３ｍｍの溝を設けた擬似歯モデルを作成し、溝の内表面も含め、アクリル板上表面一体に歯垢染色液（プラークチェック液）を均一に付着させた。そして、作成した歯ブラシを使用して、アクリル板上表面を、垂直荷重３５０ｇ、振幅長３０ｍｍ、かつ振幅速度１８０往復／分の条件で３分間ブラッシングを行い、その後、ブラッシングにより歯垢染色液が除去された部分の面積を、（株）ＫＥＹＥＮＣＥ社製デジタルＨＤマイクロスコープＶＨ−７０００を使用して測定し、その面積をブラッシング前の歯垢染色液付着総面積に対する百分率（％）で表すことにより、評価値とした。この評価値が大きいほど清掃性に優れていることを示す。
【００４０】
［剥離性］
上記の清掃性における評価と同じ条件、かつ擬似歯モデルを使用して、２時間ブラッシングを行ない、その後、歯ブラシ毛材を観察し、芯部と鞘部の剥離の有無を目視で判定した。  
【００４１】
［毛材の広がり易さ］
上記の清掃性における評価と同じ条件、かつ擬似歯モデルを使用して、２時間ブラッシングを行ない、その後、歯ブラシの毛材植毛幅を測定し、その幅をブラッシング前の植毛幅に対する百分率（％）で表し、評価値とした。この評価値が小さいほど広がりにくい毛材であることを示す。
【００４２】
［毛材の感触］
１５名のモニターに歯ブラシを実際に使用してもらい、使用時の毛材の感触について次の５段階で評価を行った。
１・・・毛先の歯や歯茎への当たりが硬く、歯茎に強い刺激を感じた、
２・・・毛先の歯や歯茎への当たりがやや硬く、歯茎への刺激がやや残った、
３・・・毛先の歯や歯茎への当たりに問題はなく、歯茎への刺激もなかった、
４・・・毛先の歯や歯茎への当たりが良く、歯茎への触感も良好であった、
５・・・毛先の歯や歯茎への当たりが極めて良好で、歯茎への感触も優れていた。
【００４３】
［実施例１］
芯成分にナイロン６１０樹脂（東レ（株）社製  Ｍ２００１、以下、Ｎ６１０と言う）、鞘成分にポリブチレンテレフタレート樹脂（東レ（株）社製  １２００Ｓ、以下、ＰＢＴと言う）を使用し、芯鞘複合紡糸機に供給、溶融混練した後、芯部の断面形状が図２（ｂ）となる芯鞘複合口金孔から両方の樹脂を共押し出し、引き続き冷却、延伸、熱セツトすることにより、直径Ｄが０．２００ｍｍ、芯鞘断面積比が５０／５０、芯部の外周長Ｔと外接円周長Ｌの比Ｔ／Ｌが１．３０の芯鞘型複合モノフィラメントを得た。
【００４４】
次に、得られた芯鞘複合型モノフィラメントを直径５０ｍｍ、長さ２８ｍｍの繊維束した後、毛材先端部の長さＨが２ｍｍとなるようにアルカリ溶解法で芯鞘複合モノフィラメントの両端の鞘部を減量加工し、芯部を露出させることにより、ブラシ用毛材を作成した。そして、得られたブラシ用毛材を歯ブラシとして植毛し、各評価を行った。
【００４５】
［実施例２］
芯成分にナイロン６１２樹脂（ダイセルヒュルス（株）社製  Ｄ１４、以下、Ｎ６１２と言う）を使用し、芯部の断面形状が図２（ｃ）となる芯鞘複合口金を使用して芯部の外周長Ｔと外接円周長Ｌの比Ｔ／Ｌが２．００の芯鞘複合モノフィラメントを溶融紡糸したこと以外は、実施例１と同じ条件でブラシ用毛材を作成した。そして、得られたブラシ用毛材を歯ブラシとして植毛し、各評価を行った。
【００４６】
［実施例３］
芯部の断面形状が図２（a）となる芯鞘複合口金を使用して芯部の外周長Ｔと外接円周長Ｌの比Ｔ／Ｌが１．４０の芯鞘複合モノフィラメントを溶融紡糸したこと以外は、実施例１と同じ条件でブラシ用毛材を作成した。そして、得られたブラシ用毛材を歯ブラシとして植毛し、各評価を行った。
【００４７】
［実施例４］
芯鞘断面積比を３０／７０したこと以外は、実施例３と同じ条件でブラシ用毛材を作成した。そして、得られたブラシ用毛材を歯ブラシとして植毛し、各評価を行った。
【００４８】
［実施例５］
毛材先端部の長さＨが６ｍｍとなるように芯鞘複合モノフィラメントの両端の鞘部を減量加工し、芯部を露出させたこと以外は、実施例３と同じ条件でブラシ用毛材を作成した。そして、得られたブラシ用毛材を歯ブラシとして植毛し、各評価を行った。
【００４９】
［実施例６］
芯成分にナイロン６樹脂（東レ（株）社製  Ｍ１０２１Ｔ、以下、Ｎ６と言う）を使用したこと以外は、実施例３と同じ条件でブラシ用毛材を作成した。そして、得られたブラシ用毛材を歯ブラシとして植毛し、各評価を行った。
【００５０】
［比較例１］
芯部の断面形状が図３（ｄ）となる芯鞘複合口金を使用して芯部の外周長Ｔと外接円周長Ｌの比Ｔ／Ｌが１．００の芯鞘複合モノフィラメントを溶融紡糸したこと以外は、実施例１と同じ条件でブラシ用毛材を作成した。そして、得られたブラシ用毛材を歯ブラシとして植毛し、各評価を行った。
【００５１】
［比較例２］
芯部の断面形状が図３（ｅ）となる芯鞘複合口金を使用して芯部の外周長Ｔと外接円周長Ｌの比Ｔ／Ｌが０．９５の芯鞘複合モノフィラメントを溶融紡糸したこと以外は、実施例１と同じ条件でブラシ用毛材を作成した。そして、得られたブラシ用毛材を歯ブラシとして植毛し、各評価を行った。
【００５２】
［比較例３］
芯部の断面形状が図３（ｆ）となる芯鞘複合口金を使用して芯部の外周長Ｔと外接円周長Ｌの比Ｔ／Ｌが２．８０の芯鞘複合モノフィラメントを溶融紡糸したこと以外は、実施例１と同じ条件でブラシ用毛材を作成した。そして、得られたブラシ用毛材を歯ブラシとして植毛し、各評価を行った。
【００５３】
［比較例４］
アルカリ溶解法を行わず、毛材先端部に芯部を露出させなかったこと以外は、実施例３と同じ条件でブラシ用毛材を作成した。そして、得られたブラシ用毛材を歯ブラシとして植毛し、各評価を行った。
【００５４】
上記の各実施例および比較例で得られた歯ブラシについての評価結果を表１に併せて示す。
【００５５】
【表１】
2006136524.tif 000003
【００５６】
表１の結果から明らかなように、本発明のブラシ用毛材を植毛してなる歯ブラシ（実施例１〜６）は、優れた感触が得られるとともに、高い清掃性と耐久性を兼ね備えたものであった。
【００５７】
これに対し、本発明の条件を満たさないブラシ用毛材を植毛してなる歯ブラシ（比較例１〜４）は、感触、清掃性、耐久性のいずれかが実施例に比べ劣るものであり、例えば、芯部が丸形断面のブラシ用毛材を使用した比較例１の歯ブラシは、清掃性に欠けるとともに、芯部と鞘部が剥離しやすく、芯部の外周長Ｔと外接円周長Ｌの比Ｔ／Ｌが１．２０を下回るブラシ用毛材を使用した比較例２の歯ブラシも、清掃性に欠けるとともに、芯部と鞘部が剥離しやすく、逆に、芯部の外周長Ｔと外接円周長Ｌの比Ｔ／Ｌが２．５０を上回るブラシ用毛材を使用した比較例３の歯ブラシは、毛材が広がりやすいため清掃性に欠け、さらに毛材先端部において芯部が露出していないブラシ用毛材を使用した比較例４の歯ブラシは、清掃性と感触に欠けるものであった。
【産業上の利用可能性】
【００５８】
本発明のブラシ用毛材は、ブラシとして使用した場合に、優れた感触が得られるとともに、狭い隙間に毛先が入りやすく、汚れを掻き出しやすいなどの清掃性に優れ、芯部と鞘部との剥離に強く、毛材が広がりにくいなどの耐久性に優れたものであるから、このブラシ用毛材を毛材の少なくとも一部に使用した歯ブラシ、化粧ブラシおよびボディブラシなどのブラシにおいては、これらの効果が余りなく発揮される。また、本発明のブラシ用毛材は、上記ブラシのほか、クリーニングブラシ、ペイントブラシ、各種洗浄ブラシ用途などの各種ブラシ分野へ幅広く応用することができるものである。
【図面の簡単な説明】
【００５９】
【図１】本発明のブラシ用毛材の一例を示す拡大側面図。
【図２】本発明の条件を満たすブラシ用毛材の繊維軸と垂直方向の断面図。
【図３】本発明の条件を満たさないブラシ用毛材の繊維軸と垂直方向の断面図。
【符号の説明】
【００６０】
１  ブラシ用毛材
２  先端部
３  本体部
４  芯部
５  鞘部
Ｈ  先端部の長さ（ｍｍ）
Ｄ  本体部の直径（ｍｍ）
Ｔ  芯部の断面形状の外周長（ｍｍ）
Ｌ  芯部の断面形状に外接する円の円周長（ｍｍ）
【図１】
2006136524.tif 000004
【図２】
2006136524.tif 000005
【図３】
2006136524.tif 000006
【手続補正書】
【提出日】平成17年12月5日(2005.12.5)
【手続補正１】
【補正対象書類名】明細書
【補正対象項目名】００３２
【補正方法】変更
【補正の内容】
【００３２】
本発明のブラシは、上記のブラシ用毛材を毛材の少なくとも一部に使用したものであるが、その製造方法は従来公知の方法を適用することができ、例えば本発明のブラシ用毛材の複数本または本発明のブラシ用毛材と他のブラシ用毛材とを合わせた複数本を束ね、これを基台の植毛孔に、露出した芯部４からなる先端部２が毛先側となるようにして植毛することにより、製造することができる。
【手続補正２】
【補正対象書類名】明細書
【補正対象項目名】００５５
【補正方法】変更
【補正の内容】
【００５５】
【表１】
2006136524.tif 000007